(57)【特許請求の範囲】
【請求項１】
演奏者がバイオリン、ビオラなどのバイオリン属の楽器を演奏するときに用いるバイオリン属用補助器であって、
板状の台座と、
前記台座の表面側に配設され、前記楽器の共鳴箱を背面側から保持する第一の保持手段、及び、第二の保持手段と、
前記台座の裏面側に配設され、前記演奏者の上腕に当該台座を載せ置くための載置手段と、
前記演奏者の上腕から肩、背中へと伸びて少なくとも当該演奏者の背中又は腰において係止可能に構成された係止部を一端に有し、その他端は前記台座に接続される第三の保持手段と、を有し、
前記第一の保持手段は、前記第二の保持手段と比べて相対的に前記楽器の棹に近い位置で前記共鳴箱を背面側から保持し、且つ、前記演奏者の演奏に応じて、前記台座を基準に前記楽器の揺動を可能にする揺動機構を有し、
前記第二の保持手段は、前記台座から前記共鳴箱までの距離を任意に調整する調整機構を有することを特徴とする、
バイオリン属用補助器。
【請求項２】
前記第一の保持手段の前記揺動機構は、少なくとも伸縮可能な２つのアームを含んで構成され、一方のアームの無負荷状態長さに比べて相対的に他方のアームの無負荷状態長さを短く、又は、長く構成して、前記台座の表面に対して前記共鳴箱の背面が傾斜する状態で当該共鳴箱を保持することを特徴とする、
請求項１に記載のバイオリン属用補助器。
【請求項３】
前記第二の保持手段の調整機構は、少なくとも２つの調整部材を含んで構成され、一方の調整部材の高さに比べて相対的に他方の調整部材の高さを短く、又は、長く構成して、前記台座の表面に対して前記共鳴箱の背面が傾斜する状態で当該共鳴箱を保持することを特徴とする、
請求項１又は２に記載のバイオリン属用補助器。
【請求項４】
前記台座は、前記第一、第二の保持手段が配設される第一の台座と、前記載置手段が配設される第二の台座からなり、当該第一及び第二の台座を軸を介して接続して相互に回動可能に構成することを特徴とする、
請求項１、２又は３に記載のバイオリン属用補助器。
【請求項５】
前記第三の保持手段は、前記載置手段を介して前記演奏者の上腕に乗せ置かれた台座を当該上腕に固定する帯状体であることを特徴とする、
請求項１に記載のバイオリン属用補助器。
【請求項６】
演奏者がバイオリン、ビオラなどのバイオリン属の楽器を演奏するときに用いるバイオリン属用補助器であって、
板状の台座と、
前記台座の表面側に配設され、前記楽器の共鳴箱を背面側から保持する第四の保持手段、及び、第五の保持手段と、
前記台座の裏面側に配設され、前記演奏者の上腕に当該台座を載せ置くための載置手段と、
前記演奏者の上腕から肩、背中へと伸びる所定の長さの紐状体又は帯状体であり、当該演奏者の背面側の一端には錘が接続され、その他端は前記台座に接続される第六の保持手段と、を有し、
前記台座を基準に前記第四の保持手段は、前記第五の保持手段と比べて相対的に高さが高く構成され、
前記第四の保持手段は、前記第五の保持手段と比べて相対的に前記楽器の棹に近い位置で前記共鳴箱を背面側から保持するように構成されることを特徴とする、
バイオリン属用補助器。
【発明の詳細な説明】
【技術分野】
【０００１】
本発明は、演奏者がバイオリン、ビオラなどのバイオリン属の楽器を演奏する際に用いる補助器に関する。
【背景技術】
【０００２】
バイオリンを演奏するにあたっては、首、肩周辺の関節や筋肉を必要以上に緊張させることなく、楽な姿勢でバイオリンを安定して保持することが重要である。従来、肩当てが開発される以前においては、バイオリンを安定的に保持し得るか否かは、演奏者自身の体型や骨格によるところが大きかった。そのため、バイオリンの演奏技術も演奏者自身の体型や骨格の影響を強く受けた。
【０００３】
その後、バイオリンの肩当てが開発されてからは、多くの演奏者がバイオリンを安定して保持するために、肩当てを使用するようになったことから、演奏者自身の骨格や体型がバイオリンの演奏に直接与える影響が少なくなり、また演奏者は肩当てを使用することで従来困難であった演奏でも行えるようになった。
【０００４】
例えば、特許文献１に開示されたバイオリン属の肩当てでは、肩掛け部に形成された鎖骨回避用凹弧状部によって、鎖骨が出た演奏者であっても鎖骨に当接して浮き上がったりすることなく肩に密着することができる、というものである。また、中間部が肩掛け側部と胸当て側部に二分割されて互いに回動自在な構造であるため、肩掛け部と胸当て部との角度調整が可能であり、演奏者の体型にいっそう対応させることができるとしている。
【０００５】
また、特許文献２に開示されたバイオリンの保持器具、保持方法では、体に優しいバイオリンの保持方法、その保持に用いる保持器具が開示されている。
【先行技術文献】
【特許文献】
【０００６】
【特許文献１】特開２００８−６４７９６号公報
【特許文献２】特開２００８−１２９４３８号公報
【発明の概要】
【発明が解決しようとする課題】
【０００７】
しかしながら、バイオリンやビオラなどのバイオリン属（以下、単にバイオリンと称す）の楽器を演奏する際に用いる従来の補助器は、図１４に示すようにバイオリンを肩と顎で挟み込んでバイオリンを保持することになる。そのため頭部の自由がきかずに常に挟むための力をかけ続けなければならないことになり、特に子供や初心者、年配者にとっては負担になっている、という問題がある。また例えばバイオリンを演奏しながら歌を歌うことなども困難である。
【０００８】
また、バイオリンを肩と顎で挟み込んでいるために演奏時にバイオリンが発する音が強く耳に入り込んでくる。そのため、演奏者が難聴になってしまう恐れが少なからずある。また、演奏者は長時間バイオリンを肩と顎で挟み込んでいるために、顎当てが当たるところ（顎）に痣ができてしまうこともある。従来のバイオリン用の補助器では上記のような様々な課題が残っている。
【０００９】
本発明は、演奏者がバイオリンやビオラなどのバイオリン属の楽器を演奏する際に、当該演奏者がバイオリンを肩と顎で挟み込むことなく演奏することを可能にするバイオリン属用補助器を提供することを、主たる目的とする。
【課題を解決するための手段】
【００１０】
本発明は、演奏者がバイオリン、ビオラなどのバイオリン属の楽器を演奏するときに用いるバイオリン属用補助器であって、板状の台座と、前記台座の表面側に配設され、前記楽器の共鳴箱を背面側から保持する第一の保持手段、及び、第二の保持手段と、前記台座の裏面側に配設され、前記演奏者の上腕に当該台座を載せ置くための載置手段と、前記演奏者の上腕から肩、背中へと伸びて少なくとも当該演奏者の背中又は腰において係止可能に構成された係止部を一端に有し、その他端は前記台座に接続される第三の保持手段と、を有し、前記第一の保持手段は、前記第二の保持手段と比べて相対的に前記楽器の棹に近い位置で前記共鳴箱を背面側から保持し、且つ、前記演奏者の演奏に応じて、前記台座を基準に前記楽器の揺動を可能にする揺動機構を有し、前記第二の保持手段は、前記台座から前記共鳴箱までの距離を任意に調整する調整機構を有することを特徴とする。
【００１１】
また、本発明は、演奏者がバイオリン、ビオラなどのバイオリン属の楽器を演奏するときに用いるバイオリン属用補助器であって、板状の台座と、前記台座の表面側に配設され、前記楽器の共鳴箱を背面側から保持する第四の保持手段、及び、第五の保持手段と、前記台座の裏面側に配設され、前記演奏者の上腕に当該台座を載せ置くための載置手段と、前記演奏者の上腕から肩、背中へと伸びる所定の長さの紐状体又は帯状体であり、当該演奏者の背面側の一端には錘が接続され、その他端は前記台座に接続される第六の保持手段と、を有し、前記台座を基準に前記第四の保持手段は、前記第五の保持手段と比べて相対的に高さが高く構成され、前記第四の保持手段は、前記第五の保持手段と比べて相対的に前記楽器の棹に近い位置で前記共鳴箱を背面側から保持するように構成されることを特徴とする。
【発明の効果】
【００１２】
本発明によれば、演奏者がバイオリンやビオラなどのバイオリン属の楽器を演奏する際に、当該演奏者がバイオリンを肩と顎で挟み込むことなく演奏することができる。
【図面の簡単な説明】
【００１３】
【図１】第１実施形態に係るバイオリン属用補助器の構成の一例を説明するための図。
【図２】バイオリンの後端側から見たときのバイオリン属用補助器の構成の一例を説明するための図。
【図３】（ａ）はバイオリン属用補助器の概略平面図、（ｂ）はその概略底面図。
【図４】（ａ）、（ｂ）は、台座に対して楽器を傾斜させて保持する場合の構成の一例を説明するための図。
【図５】バイオリン属用補助器の使用方法を説明するための図。
【図６】図５とは異なる、バイオリン属用補助器の使用方法を説明するための図。
【図７】第２実施形態に係るバイオリン属用補助器の構成の一例を説明するための図。
【図８】（ａ）、（ｂ）は、バイオリン属用補助器の構成の一例を説明するための図。
【図９】第３実施形態に係るバイオリン属用補助器の構成の一例を説明するための図。
【図１０】第４実施形態に係るバイオリン属用補助器の構成の一例を説明するための図。
【図１１】バイオリンの後端側から見たときのバイオリン属用補助器の構成の一例を説明するための図。
【図１２】（ａ）は、バイオリン属用補助器の概略底面図であり、（ｂ）は、載置部を当てる演奏者の部位の一例を示す図。
【図１３】バイオリン属用補助器の使用方法を説明するための図。
【図１４】従来一般のバイオリンを肩と顎で挟み込んでバイオリンを保持することを示す図。
【発明を実施するための形態】
【００１４】
以下、図面を参照しながら本発明に係る、バイオリン、ビオラなどのバイオリン属の楽器を演奏する際に用いるバイオリン属用補助器の実施形態を説明する。なお、以下の説明においてはバイオリン、ビオラなどを楽器と称する場合がある。また、バイオリンに当該補助器を用いる場合を例に挙げて説明をする。
【００１５】
［第１実施形態］
図１は、本実施形態に係るバイオリン属用補助器の構成の一例を説明するための図である。なお、図１に示すように、バイオリンは共鳴箱、棹その他構成品（例えば弦など）により構成される。
図２は、バイオリンの後端側から見たときのバイオリン属用補助器の構成の一例を説明するための図である。図３（ａ）、（ｂ）は、バイオリン属用補助器の概略平面図（ａ）と概略底面図（ｂ）である。図４は、後述する台座に対して楽器を傾斜させて保持する場合の構成の一例を説明するための図である。以下、図１〜４を用いて説明を進める。
【００１６】
図１に示すバイオリン属用補助器１０は、板状に形成された台座１０１、楽器の共鳴箱を背面側から保持する第一の保持部１０２及び第二の保持部１０３、台座１０１と第一の保持部１０２を接続するアーム１０５ａ（ｂ）、台座１０１と第二の保持部１０３を接続する調整部材１０６ａ（ｂ）、楽器を演奏する演奏者の上腕に台座１０１を載せ置くための載置部１０７、第三の保持部として機能するストラップ１０８、ストラップ１０８と接続されたフック１０９を含んで構成される。
【００１７】
第一の保持部１０２は、図１に示すように、台座１０１の表面側に配設されて楽器の共鳴箱を背面側から保持するように構成される。
具体的には、第一の保持部１０２の両端それぞれは、楽器を幅方向で挟んで保持することが可能なフック形状の部位が形成される。また、その第一の保持部１０２の長さは、バイオリンの共鳴箱のくびれ箇所において当該バイオリンを保持することが可能な長さに形成される。
また、第一の保持部１０２は、第二の保持部１０３と比べて相対的に楽器の棹に近い位置で共鳴箱を背面側から保持するように台座１０１に配設される。
【００１８】
また、台座１０１と第一の保持部１０２を接続するアーム１０５ａ（ｂ）は、演奏者の演奏に応じて、台座１０１を基準にして楽器が揺動することを許容するように伸縮自在に構成される。具体的には、例えばコイルスプリングと油圧ダンパーで構成されたショックアブソーバ、各種弾性素材などの伸縮可能なものを用いて構成することができる。
【００１９】
このように第一の保持部１０２、アーム１０５ａ（ｂ）は第一の保持手段として機能し、伸縮可能な２つのアーム１０５ａ（ｂ）は揺動機構として機能する。
なお、後述するようにアームは１つでもよく、また、３つ以上であっても良い。本実施形態では、第一の保持手段が少なくとも伸縮可能な２つのアームを含んで構成された揺動機構を有する場合を例に挙げて説明したものである。
【００２０】
また、図４（ａ）に示すように、アーム１０５ａ（ｂ）において、一方のアームの無負荷状態長さに比べて相対的に他方のアームの無負荷状態長さを短く、又は、長く構成することもできる。
それぞれのアームの長さを異なる長さに変更することにより、台座１０１の表面に対して共鳴箱の背面が傾斜する状態で当該共鳴箱を保持することができる。この場合、演奏者の演奏に応じて楽器の揺動は許容しつつ、演奏者の好みや体形などに応じて楽器の向き（傾き）を任意に設定することができるようになる。
【００２１】
第二の保持部１０３は、図１に示すように、台座１０１の表面側に配設されて楽器の共鳴箱を背面側から保持するように構成される。
具体的には、第二の保持部１０３の両端それぞれは、楽器を幅方向で挟んで保持することが可能なフック形状の部位が形成される。また、その第二の保持部１０３の長さは、バイオリンの共鳴箱の後方箇所において当該バイオリンを保持することが可能な長さに形成される。
また、第二の保持部１０３は、第一の保持部１０２と比べて相対的に楽器の後方に近い位置で共鳴箱を背面側から保持するように台座１０１に配設される。
【００２２】
また、台座１０１と第二の保持部１０３を接続する調整部材１０６ａ（ｂ）は、台座１０１から共鳴箱までの距離を任意に調整することが可能に構成される。
具体的には、例えば所定の厚みを有するマグネットを複数枚重ねたものを用いて、その枚数を調整することにより台座１０１から共鳴箱までの距離を調整できるように構成することができる。また、所望の高さを保持することができるような弾性体を調整部材１０６ａ（ｂ）として用いることもできる。
【００２３】
このように第二の保持部１０３、調整部材１０６ａ（ｂ）は第二の保持手段として機能し、調整部材１０６ａ（ｂ）は高さを調整する調整機構として機能する。
なお、後述するように調整部材は１つでもよく、また、３つ以上であっても良い。本実施形態では、第二の保持手段が少なくとも２つの調整部材を有し、つまり調整部材が２か所に配設される場合を例に挙げて説明したものである。
【００２４】
また、図４（ｂ）に示すように、調整部材１０６ａ（ｂ）において、一方の調整部材の高さに比べて相対的に他方の調整部材の高さを短く、又は、長く構成することもできる。
それぞれの調整部材の高さを異なる高さに変更することにより、台座１０１の表面に対して共鳴箱の背面が傾斜する状態で当該共鳴箱を保持することができる。この場合、演奏者の演奏に応じて楽器の揺動は許容しつつ、演奏者の好みや体形などに応じて楽器の向き（傾き）を任意に設定することができるようになる。
【００２５】
載置部１０７は、台座１０１の裏面側に配設され、演奏者の上腕に台座１０１を安定的に載せ置くためのものである。具体的には、例えばスポンジなどの柔軟な発泡体を演奏者の上腕の形状に合わせて形成する。このように形成することで、演奏者の動きにより台座１０１がズレてしまうことや、荷重かかり方のバランスをとりやすくなるなど、当該演奏者にかかる負担を軽減することができる。これにより、演奏者はより演奏に集中することが可能になる。このように載置部１０７は載置手段として機能する。
【００２６】
第三の保持部として機能するストラップ１０８は、例えば紐状（紐状体）や帯状（帯状体）の形状をした所定の長さを有するものであり、その一端にフック１０９が接続され、他端は台座１０１に接続される。紐状帯の長さは、例えば演奏者の体格に合わせて調整される。具体的には、演奏者の上腕から肩、背中へと伸びて少なくとも当該演奏者の背中又は腰においてフック１０９により演奏者に係止することができる長さである。
なお、係止部として機能するフック１０９はその一例であり、例えば演奏者のズボンのベルトに引っ掛けるようなフックであったり、ズボンのベルトループに引っ掛けるようなフックであったり、演奏者の腰位置で留まるようにできれば良い。また、上着の背中部分の布地を摘まんで留まるようなフックであっても良い。
【００２７】
図５、図６は、バイオリン属用補助器１０の使用方法を説明するための図である。
図５に示すように、演奏者（破線部）はバイオリンを保持した状態のバイオリン属用補助器１０を自身の上腕に載置する。これにより演奏者が演奏しやすいようにバイオリンを持つことが可能になる。
また、図６に示すように、演奏者（破線部）は上腕から肩、背中へと伸びたストラップ１０８のフック１０９を、例えば自身のベルトに引っ掛けるなどして係止させる。これにより、演奏時の演奏者の動きにより台座１０１（バイオリンを含む）が上腕から前腕に向けてズレ下がることを防ぐことができる。
バイオリン属用補助器１０をこのように使用することで、演奏者は従来のようにバイオリンを肩と顎で挟み込みながら演奏を行う必要がなくなる。
【００２８】
このように本実施形態に係るバイオリン属用補助器１０は、演奏者がバイオリンやビオラなどのバイオリン属の楽器を演奏する際に、当該演奏者がバイオリンを肩と顎で挟み込むことなく演奏することを可能にする。
これにより演奏者は、頭部の自由を確保することができる。また、バイオリンから頭部を離すことが可能になり演奏時の音が強く耳に入ることが避けられるため、難聴になってしまう恐れを低減することができる。また、顎でバイオリンを挟まなくて済むために顎に痣ができてしまうことを防ぐことができる。
【００２９】
また、演奏者がバイオリン属用補助器１０を使用することにより、演奏時に頭部の自由が確保できることから、ギターやウクレレのように演奏と同時に歌を歌う弾き語りが行いやすくなる。
また、演奏者がバイオリン属用補助器１０を使用することにより、当該演奏者は肩と顎でバイオリンを挟み込む必要がなくなるので肩の自由も確保できることからビブラート奏法の練習の効果が期待できる。
【００３０】
また、演奏者がバイオリン属用補助器１０を使用することにより、当該補助器の装着時において演奏者の肩から腰部に向けてストラップを伸ばして腰位置当たりで一端を固定させる。そのため、当該補助器を装着した演奏者は背筋が伸びやすくなりその結果、姿勢の矯正が期待できる。
【００３１】
［第２実施形態］
図７、図８は、本実施形態に係るバイオリン属用補助器の構成の一例を説明するための図である。なお、第１実施形態において説明した構成と同じものは同一の符号を付すと共にその説明を省略する。
【００３２】
第１実施形態におけるバイオリン属用補助器１０では、台座１０１に第一の保持部１０２及び第二の保持部１０３、載置部１０７がそれぞれ配設されている。
これに対して本実施形態に係るバイオリン属用補助器では、図７、図８に示すように、第一の保持部１０２及び第二の保持部１０３は台座１０１（第一の台座）に配設され、載置部１０７は台座１１１（第二の台座）に配設されているという点で異なる。以下、異なる点を中心に本実施形態に係るバイオリン属用補助器について説明する。
【００３３】
第一の台座である台座１０１には、楽器の共鳴箱を背面側から保持する第一の保持部１０２及び第二の保持部１０３、台座１０１と第一の保持部１０２を接続するアーム１０５ａ（ｂ）、台座１０１と第二の保持部１０３を接続する調整部材１０６ａ（ｂ）が配設される。
第二の台座である台座１１１には、楽器を演奏する演奏者の上腕に台座１０１を載せ置くための載置部１０７が配設される。また、第三の保持部として機能するストラップ１０８の一端はこの台座１１１に接続される。
【００３４】
台座１０１と台座１１１は、図８（ａ）に示すように、軸Ｆを介して接続されており、図８（ｂ）に示すように、台座１０１と台座１１１が相互に回動可能に構成される。
これにより演奏者は、上腕にバイオリン属用補助器を載置した状態で当該演奏者の好みや体格に応じたバイオリンの位置（向き）の微調整を行うことが可能になる。
【００３５】
［第３実施形態］
図９は、本実施形態に係るバイオリン属用補助器の構成の一例を説明するための図である。なお、第１、第２実施形態において説明した構成と同じものは同一の符号を付すと共にその説明を省略する。
【００３６】
本実施形態に係るバイオリン属用補助器の構成は、第１、第２実施形態のものと比べてシンプルな構成になっている。具体的には、図９に示すバイオリン属用補助器は、板状に形成された台座１０１、楽器の共鳴箱を背面側から保持する第一の保持部１０２及び第二の保持部１０３、台座１０１と第一の保持部１０２を接続するアーム１１５、台座１０１と第二の保持部１０３を接続する調整部材１１６、楽器を演奏する演奏者の上腕に台座１０１を載せ置くための載置部１０７、第三の保持部として機能する帯状体１２０を含んで構成される。
【００３７】
第１実施形態におけるバイオリン属用補助器１０は、台座１０１と第一の保持部１０２を接続する２つのアーム１０５ａ（ｂ）と、台座１０１と第二の保持部１０３を接続する２つの調整部材１０６ａ（ｂ）とを有している。
これに対して本実施形態に係るバイオリン属用補助器では、図９に示すように、伸縮可能な１つのアーム１１５、台座１０１から共鳴箱までの距離を任意に調整することが可能な一つの調整部材１１６であるという点で異なる。
なお、アーム１１５は揺動機構として機能し、調整部材１１６は調整機構として機能する。
【００３８】
アーム１１５は、例えばコイルスプリングと油圧ダンパーで構成されたショックアブソーバ、各種弾性素材などの伸縮可能なものを用いて構成することができる。
調整部材１１６は、例えば所定の厚みを有するマグネットを複数枚重ねたものを用いて、その枚数を調整することにより台座１０１から共鳴箱までの距離を調整できるように構成することができる。また、所望の高さを保持することができるような弾性体を調整部材１１６として用いることもできる。
【００３９】
このようにバイオリン属用補助器の構成を第１、第２実施形態のものと比べてシンプルな構成にすることも可能である。これによりバイオリン属用補助器の製造コストの低減を図ることができる。
【００４０】
また、第三の保持部として機能する帯状体１２０は、載置部１０７を介して演奏者の上腕に乗せ置かれた台座１０１を当該上腕に固定するためのものであり、例えば伸縮するバンドなどである。
演奏者は、帯状体１２０を介してバイオリンを保持した状態のバイオリン属用補助器を自身の上腕に固定することができる。これにより演奏者がバイオリンやビオラなどのバイオリン属の楽器を演奏する際に、当該演奏者がバイオリンを肩と顎で挟み込むことなく演奏することが可能になる。
【００４１】
なお、本実施形態に係るバイオリン属用補助器は、前述したストラップ１０８、ストラップ１０８と接続されたフック１０９を含んで構成しても良い。この場合、演奏時の演奏者の動きにより台座１０１（バイオリンを含む）が上腕から前腕に向けてズレ下がることをより確実に防ぐことが可能になる。
【００４２】
［第４実施形態］
図１０は、本実施形態に係るバイオリン属用補助器の構成の一例を説明するための図である。なお、前述したように、バイオリンは共鳴箱、棹その他構成品（例えば弦など）により構成される。
図１１は、バイオリンの後端側から見たときのバイオリン属用補助器の構成の一例を説明するための図である。図１２（ａ）は、バイオリン属用補助器の概略底面図である。図１２（ｂ）は、載置部を当てる演奏者の部位の一例を示す図である。
なお、前述した各実施形態において説明した構成と同じものは同一の符号を付すと共にその説明を省略する。
【００４３】
図１０に示すバイオリン属用補助器２０は、板状に形成された台座１０１、楽器の共鳴箱を背面側から保持する第四の保持部２０２及び第五の保持部２０３、楽器を演奏する演奏者の上腕に台座１０１を載せ置くための載置部２０７、第六の保持部として機能するストラップ１０８、ストラップ１０８と接続されたバランスウエイト（錘）２０９を含んで構成される。
【００４４】
第四の保持部２０２は、図１０に示すように、台座１０１の表面側に配設されて楽器の共鳴箱を背面側から保持するように構成される。
具体的には、第四の保持部２０２の両端それぞれは、楽器を幅方向で挟んで保持することが可能なフック形状の部位が形成される。また、その第四の保持部２０２の長さは、バイオリンの共鳴箱のくびれ箇所において当該バイオリンを保持することが可能な長さに形成される。
また、第四の保持部２０２は図１０、１１に示すように、第五の保持部２０３と比べて相対的に楽器の棹に近い位置で共鳴箱を背面側から保持するように台座１０１に配設される。このように第四の保持部２０２は第四の保持手段として機能する。
【００４５】
第五の保持部２０３は、図１０に示すように、台座１０１の表面側に配設されて楽器の共鳴箱を背面側から保持するように構成される。
具体的には、第五の保持部２０３の両端それぞれは、楽器を幅方向で挟んで保持することが可能なフック形状の部位が形成される。また、その第五の保持部２０３の長さは、バイオリンの共鳴箱の後方箇所において当該バイオリンを保持することが可能な長さに形成される。また、第五の保持部２０３は、第四の保持部２０２と比べて相対的に楽器の後方に近い位置で共鳴箱を背面側から保持するように台座１０１に配設される。
このように第五の保持部２０３は第五の保持手段として機能する。
【００４６】
また、台座１０１の表面を基準に、第四の保持部２０２は、第五の保持部２０３と比べて相対的に高さが高く構成される。これにより、前述した第１実施形態における図５のように演奏者が演奏しやすいようにバイオリンを持つことが可能になる。
【００４７】
載置部２０７は、台座１０１の裏面側に配設され、演奏者の上腕に台座１０１を安定的に載せ置くためのものである。具体的には、例えばスポンジなどの柔軟な発泡体を演奏者の上腕の形状に合わせて形成する。
例えば、図１１、図１２（ａ）に示すような形状に載置部２０７を形成することで、台座１０１を演奏者の上腕、胸部、肩にフィットさせることが可能になり（図１２（ｂ）参照）、バイオリン属用補助器２０の載置状態がより一層安定化する。
また、演奏者の動きにより台座１０１がズレてしまうことや、荷重かかり方のバランスをとりやすくなるなど、当該演奏者にかかる負担を軽減することができる。これにより、演奏者はより演奏に集中することが可能になる。このように載置部２０７は載置手段として機能する。
【００４８】
図１３は、バイオリン属用補助器２０の使用方法を説明するための図である。
第六の保持部として機能するストラップ１０８は、図１３に示すように、演奏者の上腕から肩、背中へと伸びる所定の長さの紐状体又は帯状体と、演奏者の背面側の一端に設即されたバランスウエイト（錘）２０９を含んで構成される。また、その他端は台座１０１に接続される。紐状帯の長さは、例えば演奏者の体格に合わせて調整される。
【００４９】
バランスウエイト（錘）２０９の重さは、ストラップ１０８は演奏者の肩口を支点にして、当該演奏者の正面側にあるバイオリンが取り付けられたバイオリン属用補助器２０と、当該演奏者の背面側にあるバランスウエイト（錘）２０９とがバランスする重さとなるように任意に調整する。
【００５０】
このように本実施形態に係るバイオリン属用補助器２０は、演奏者がバイオリンやビオラなどのバイオリン属の楽器を演奏する際に、当該演奏者がバイオリンを肩と顎で挟み込むことなく演奏することを可能にする。また、シンプルな構成とすることにより製造コストの低減を図ることが可能になる。
また、載置部２０７により演奏者の上腕、胸部、肩のフィットさせることが可能になり、上腕にバイオリン属用補助器を載置した状態で当該演奏者の好みや体格に応じたバイオリン位置で演奏を行うことが可能になる。
【００５１】
上記説明は、本発明をより具体的に説明するためのものであり、本発明の範囲が、これらの例に限定されるものではない。本発明の要旨を逸脱しない範囲の様々な形態も本発明に含まれ、例えば上述した各実施形態の構成の一部を他の実施形態の構成として適宜組み合わせても良い。
また、例えば従来の肩当てを利用して、バイオリンの後方に近い位置で共鳴箱を背面側から保持する第二の保持部１０３、第五の保持部２０３を構成することも可能である。
【符号の説明】
【００５２】
１０・・・バイオリン属用補助器、１０１、１１１・・・台座、１０２・・・第一の保持部、１０３・・・第二の保持部、１０５ａ（ｂ）、１１５・・・アーム（揺動機構）、１０６ａ（ｂ）、１１６・・・調整部材（調整機構）、１０７、２０７・・・載置部、１０８・・・ストラップ、１０９・・・フック、１２０・・・帯状体、２０２・・・第四の保持部、２０３・・・第五の保持部、２０９・・・バランスウエイト（錘）。
【要約】      （修正有）【課題】演奏者がバイオリンを肩と顎で挟み込むことなく演奏することを可能にするバイオリン属用補助器を提供する。【解決手段】バイオリン属用補助器１０は、板状の台座１０１、台座の表面側に配設され、楽器の共鳴箱を背面側から保持する第一の保持部１０２及び第二の保持部１０３を有する。また、台座の裏面側に配設され、演奏者の上腕にこの台座を載せ置くための載置部１０７、演奏者の上腕から肩、背中へと伸びて少なくとも当該演奏者の背中又は腰において係止可能に構成されたフック１０９を一端に有し、その他端は台座に接続されるストラップ１０８を有する。第一の保持部は、第二の保持部と比べて相対的に楽器の棹に近い位置で共鳴箱を背面側から保持し、且つ、演奏者の演奏に応じて台座を基準に楽器の揺動を可能にするアーム１０５ａ（ｂ）を有する。また、第二の保持部は、台座から共鳴箱までの距離を任意に調整する調整部材１０６ａ（ｂ）を有する。【選択図】図１【図１】
0006747703.tif 000002
【図２】
0006747703.tif 000003
【図３】
0006747703.tif 000004
【図４】
0006747703.tif 000005
【図５】
0006747703.tif 000006
【図６】
0006747703.tif 000007
【図７】
0006747703.tif 000008
【図８】
0006747703.tif 000009
【図９】
0006747703.tif 000010
【図１０】
0006747703.tif 000011
【図１１】
0006747703.tif 000012
【図１２】
0006747703.tif 000013
【図１３】
0006747703.tif 000014
【図１４】
0006747703.tif 000015